(57)【要約】【課題】  ２−３プルダウンにより２４Ｐ映像信号から得られた６０Ｐ映像信号は、ワイプ処理又はミックス（フェーダー）処理されると、画像の動きの変化が段階的で、滑らかではないため、ビューファインダでは見難い画像として表示される。【解決手段】  ワイプ回路又はミックス回路１８は、ワイプ処理を行う場合は、ワイプ回路又はミックス回路１３から入力される、ワイプ処理された６０Ｐ映像信号に対して、例えば、連続する５フレームのうち、２フレーム目では３フレーム目で入力６０Ｐ映像信号に付加される黒枠の幅の１／２の黒枠を付加し、４フレーム目、５フレーム目では、それぞれ３フレーム目に付加される黒枠の幅の１／３、６フレーム目に付加される黒枠の幅の１／３の黒枠が更に付加される。これにより、入力６０Ｐ映像信号よりも黒枠の幅が滑らかに変化して推移する６０Ｐ映像信号を出力することができる。【選択図】            図１
2006310905.tif 000002
【特許請求の範囲】
【請求項１】
撮像素子から出力される第１のフレーム周波数の第１の映像信号をフレーム周波数変換して得られた、前記第１のフレーム周波数よりも高い第２のフレーム周波数の第２の映像信号に対して、第１の特殊画像処理回路により特殊画像処理をして出力するビデオカメラにおいて、
前記第１の特殊画像処理回路により特殊画像処理された前記第２の映像信号に対して、前記第１の特殊画像処理回路による特殊画像の処理のフレーム周期と異なる予め定めたフレーム周期で、かつ、前記第１の特殊画像処理回路による特殊画像と同種類の特殊画像を付加する特殊画像処理を行って、前記第１の特殊画像処理回路により特殊画像処理された前記第２の映像信号よりも画像変化が緩やかな第３の映像信号を出力する第２の特殊画像処理回路を具備し、
前記第１の特殊画像処理回路から出力される前記第２の映像信号を記録回路へ供給すると共に、前記第２の特殊画像処理回路から出力される前記第３の映像信号を表示手段へ供給することを特徴とするビデオカメラ。
【発明の詳細な説明】
【技術分野】
【０００１】
本発明はビデオカメラに係り、特に撮像信号をプルダウンした映像信号をビューファインダに表示すると共に、記録のために出力する機能を備えたビデオカメラに関する。
【背景技術】
【０００２】
従来のビデオカメラとして、被写体の撮像機能の他にワイプ処理やミックス処理などの撮影した映像信号に対して特殊処理を行ってその特殊処理後の映像信号を記録媒体に記録するなどの特殊処理機能を備えたビデオカメラが知られている（例えば、特許文献１参照）。この従来のビデオカメラでは、撮像内容を確認するためのモニタ用のビューファインダには、特殊処理機能が動作中であっても、その動作に関係なく、常に特殊処理前の被写体画像をビューファインダに表示させるようにした構成である。
【０００３】
一方、従来のビデオカメラの中には、被写体を映画フィルムと同様の１秒間２４駒のプログレッシブ方式の映像信号（以下、２４Ｐ映像信号という）として撮像素子より出力し、この撮像素子から出力された２４Ｐ映像信号に対して、フレーム周波数６０Ｈｚのプログレッシブ方式の映像信号（以下、６０Ｐ）を表示するモニタ装置で表示させるために、所謂２−３プルダウンを行ってから出力すると共に、記録媒体に記録する機能を備えたビデオカメラも存在する。
【０００４】
従って、上記の特殊処理機能と上記の２−３プルダウン機能の両方を備えたビデオカメラも従来考えられる。しかしながら、上記の特許文献１記載の従来のビデオカメラでは、特殊処理機能が動作しているか否かに関係なく、特殊処理を行う前の被写体画像をビューファインダに表示させるようにしているため、上記の特殊処理及び２−３プルダウン処理された、記録媒体に記録される映像信号をビューファインダで監視することができない。
【０００５】
そこで、特殊処理及び２−３プルダウン処理された、記録媒体に記録される映像信号をビューファインダで監視することができるビデオカメラが考えられる。図４はこの従来のビデオカメラの一例のブロック図を示す。
【０００６】
同図において、撮像素子１１により撮像して得られた被写体の映像信号は、２４Ｐ映像信号として２−３プルダウン回路１２に供給され、ここで、２４Ｐ映像信号の２フレーム分（＝２／２４秒）が、フレーム周波数６０Ｈｚの映像信号の５フレーム分（＝５／６０秒）で表示されるように、２４Ｐ映像信号の２フレームのうちの第１フレームは１／６０秒ずつ計２フレーム（＝２／６０秒）出力し、２４Ｐ映像信号の２フレームのうちの第２フレームは１／６０秒ずつ計３フレーム（＝３／６０秒）出力するというように、２４Ｐ映像信号の２フレーム単位で変換する公知の２−３プルダウン処理されて６０Ｐ映像信号に変換された後、ワイプ回路又はミックス回路１３に供給されて、ワイプ処理又はミックス処理される。
【０００７】
ワイプ回路又はミックス回路１３でワイプ処理又はミックス処理された６０Ｐ映像信号は、記録回路１４とビューファインダ１５の両方に同時に供給される。従って、記録回路１４により図示しない記録媒体に記録される６０Ｐ映像信号は、ビューファインダ１５の画像表示にて逐次確認することができる。
【０００８】
図５はワイプ回路又はミックス回路１３でワイプ処理された６０Ｐ映像信号の一例の画像の推移を示す。すなわち、図５中、１−ａ、１−ｂは２４Ｐ映像信号の第１フレームの画像を２−３プルダウンした計２フレームの画像の６０Ｐ映像信号であり、続いて出力される２−ａ、２−ｂ及び２−ｃは２４Ｐ映像信号の第２フレームの画像を２−３プルダウンした計３フレームの画像の６０Ｐ映像信号であり、続く３−ａは２４Ｐ映像信号の第３フレームの画像を２−３プルダウンした計２フレームの画像のうち最初のフレームの画像の６０Ｐ映像信号を示す。
【０００９】
すなわち、図５から分かるように、２フレームの画像１−ａ及び１−ｂに続いて出力される、３フレームの画像２−ａ、２−ｂ及び２−ｃには、ある幅の黒い四角の外枠が入ったワイプ処理された画像となり、続いてより幅の広い黒い四角の外枠の入ったワイプ処理された画像３−ａが順次ビューファインダ１５に表示されると共に、記録媒体に記録される。このように、ワイプ処理により、黒い四角の外枠の幅が徐々に広くなる画像の映像信号がワイプ回路又はミックス回路１３から出力される。なお、外枠の色は図示の便宜上、黒としたが、これに限定されるものではないことは勿論である。
【００１０】
また、ワイプ回路又はミックス回路１３はミックス（フェーダー）処理の場合、元画像と黒の混合比は、２−３プルダウンされた６０Ｐ映像信号に対して、フレーム単位で例えば、（２０：０）、（２０：０）、（１４：６）、（１４：６）、（１４：６）、（８：１２）、（８：１２）、・・・というように変化させる。ここで、例えば、（１４：６）は元画像１４に対して黒の混合比が６であることを示す。このようにして、順次画面が暗くなるフェードアウトが実現される。なお、同様にしてフェードインも可能であることは勿論である。
【００１１】
【特許文献１】特開平１−２９０３７９号公報
【発明の開示】
【発明が解決しようとする課題】
【００１２】
しかるに、図４に示した構成の従来のビデオカメラでは、記録回路１４へ出力される、ワイプ処理又はミックス（フェーダー）処理された６０Ｐ映像信号は、２−３プルダウンにより、連続する５フレームのうち、最初の２フレームが２４Ｐ映像信号の、ある１フレームの同一の画像の映像信号で、続く３フレームが２４Ｐ映像信号の次の１フレームの同一の画像の映像信号であり、記録回路１４へ出力される６０Ｐ映像信号は、編集などのために再び２４Ｐ映像信号に変換されることがあるため、２−３プルダウン処理された６０Ｐ映像信号である必要があるが、ビューファインダ１５で監視する画像は、図５に示すように、ワイプ処理又はミックス（フェーダー）処理により画像の動きの変化が段階的で、滑らかではないため、見難いという問題がある。
【００１３】
本発明は上記の点に鑑みなされたもので、２−３プルダウン等のフレーム周波数変換処理と特殊処理が施された映像信号に対して所定の信号処理を施して、より動きの滑らかな画像変化をする表示用映像信号を出力し得るビデオカメラを提供することを目的とする。
【課題を解決するための手段】
【００１４】
上記の目的を達成するため、本発明は撮像素子から出力される第１のフレーム周波数の第１の映像信号をフレーム周波数変換して得られた、第１のフレーム周波数よりも高い第２のフレーム周波数の第２の映像信号に対して、第１の特殊画像処理回路により特殊画像処理をして出力するビデオカメラにおいて、第１の特殊画像処理回路により特殊画像処理された第２の映像信号に対して、第１の特殊画像処理回路による特殊画像の処理のフレーム周期と異なる予め定めたフレーム周期で、かつ、第１の特殊画像処理回路による特殊画像と同種類の特殊画像を付加する特殊画像処理を行って、第１の特殊画像処理回路により特殊画像処理された第２の映像信号よりも画像変化が緩やかな第３の映像信号を出力する第２の特殊画像処理回路を具備し、第１の特殊画像処理回路から出力される第２の映像信号を記録回路へ供給すると共に、第２の特殊画像処理回路から出力される第３の映像信号を表示手段へ供給することを特徴とする。
【００１５】
この発明では、第１の特殊画像処理回路によりワイプやミックス（フェーダー）等の特殊画像処理された第２の映像信号に対して、第２の特殊画像処理回路がワイプやミックス（フェーダー）等の特殊画像処理を所定のフレーム周期で施して、上記第２の映像信号よりも画像変化が緩やかな第３の映像信号を生成し、第１の特殊画像処理回路から出力される第２の映像信号は記録回路へ供給する一方、第２の特殊画像処理回路から出力される第３の映像信号を表示手段へ供給するようにしたため、ビューファインダ等の表示手段には、記録回路へ供給される映像信号よりも画像変化が緩やかな画像を表示できる。
【発明の効果】
【００１６】
本発明によれば、特殊画像処理されて記録回路へ供給される第２の映像信号よりも、その第２の映像信号に対して同じ種類の特殊画像処理を行う際に、第２の映像信号よりも画像変化が緩やかとなるような処理を行って生成した第３の映像信号を、ビューファインダ等の表示手段に供給するようにしたため、ビューファインダ等の表示手段に表示される画像の変化を緩やかにでき、使用者に見易い映像を提供することができる。
【発明を実施するための最良の形態】
【００１７】
図１は本発明になるビデオカメラの一実施の形態のブロック図を示す。同図中、図４と同一構成部分には同一符号を付して、その説明を省略する。図１において、ワイプ回路又はミックス回路１３から出力された６０Ｐ映像信号は、記録回路１４にそのまま供給される一方、ワイプ回路又はミックス回路１８に供給されて、再びワイプ処理又はミックス（フェーダー）処理が施される。
【００１８】
ワイプ回路又はミックス回路１８は、ワイプ処理を行う場合は、入力される６０Ｐ映像信号に対して、例えば、連続する５フレームのうち、２４Ｐ映像信号の同一フレームが２フレーム連続して出力される期間の２フレーム目では、続いて２４Ｐ映像信号の同一フレームが３フレーム連続して出力される期間の最初の１フレーム目で付加される黒枠の幅の１／２の黒枠を付加し、２４Ｐ映像信号の同一フレームが３フレーム連続して出力される期間の２フレーム目、３フレーム目では、それぞれ直前のフレームに付加される黒枠の幅の１／３、直後のフレームに付加される黒枠の幅の１／３の黒枠をそれぞれ付加する。
【００１９】
これにより、例えば、図１のワイプ又はミックス回路１３から、図５と同じ図２（Ａ）に示すワイプ処理された６０Ｐ映像信号が出力される場合、ワイプ回路又はミックス回路１８において、図２（Ｂ）に示すように、２４Ｐ映像信号の同一フレームが２フレーム連続して出力される期間の２フレーム目の６０Ｐ映像信号の画像１−ｂに対しては、続いて２４Ｐ映像信号の同一フレームが３フレーム連続して出力される期間の最初の１フレーム目の６０Ｐ映像信号の画像２−ａに付加される黒枠２２の幅の１／２倍の幅の黒枠２１を付加するワイプ処理を行う。
【００２０】
続いて、ワイプ回路又はミックス回路１８は、図２（Ｂ）に示すように、２４Ｐ映像信号の同一フレームが３フレーム連続して出力される期間の２フレーム目の６０Ｐ映像信号の画像２−ｂ、３フレーム目の６０Ｐ映像信号の画像２−ｃのうち、画像２−ｂに対しては直前の１フレームの画像２−ａに付加される黒枠２２の幅の１／３倍の幅を元の黒枠に加算した黒枠２３を付加し、画像２−ｃに対しては直後の１フレームの画像３−ａに付加される黒枠２５の幅の１／３倍の幅を元の黒枠に加算した黒枠２４を付加するワイプ処理を行う。
【００２１】
これにより、本実施の形態では、記録回路１４に対しては、図２（Ａ）に示した画像の推移をする従来と同様の６０Ｐ映像信号を出力すると共に、ビューファインダ１５には図２（Ｂ）に示すように、同図（Ａ）よりも黒枠の幅が滑らかに変化して推移する６０Ｐ映像信号を出力することができ、ビデオカメラの使用者に対して、動きの滑らかなワイプ処理された画像を提供できる。
【００２２】
また、ワイプ回路又はミックス回路１８がミックス（フェーダー）処理を行う場合、前述した画像１−ｂ、２−ｂ、２−ｃに対応する画像に対して、黒画像と更に混合する処理を行う。すなわち、前述した従来のミックス（フェーダー）処理では、ワイプ回路又はミックス回路１３により、フレーム単位で例えば、（２０：０）、（２０：０）、（１４：６）、（１４：６）、（１４：６）、（８：１２）、（８：１２）、・・・というように変化させていたが、本実施の形態では、ワイプ回路又はミックス回路１８により、更に（２０：０）、（１７：３）、（１４：６）、（１２：８）、（１０：１０）、（８：１２）、（５：１５）、・・・というように変化させる。
【００２３】
ここで、上記の（１７：３）が画像１−ｂに対応した画像の元の画像と黒画像との混合比を示し、上記の（１２：８）、（１０：１０）が画像２−ｂ、２−ｃに対応した画像の元の画像と黒画像との混合比を示す。これにより、本実施の形態によれば、記録回路１４に対しては従来と同様のミックス（フェーダー）処理された６０Ｐ映像信号を出力すると共に、ビューファインダ１５には従来よりも黒画像の割合が滑らかに増加して推移する６０Ｐ映像信号を出力することができ、ビデオカメラの使用者に対して、滑らかにフェードアウトする画像を提供できる。
【００２４】
次に、本発明の他の実施の形態について説明する。上記の実施の形態では、ワイプ回路又はミックス回路１３及び１８は、それぞれ画像の外周から順次幅が広くなる黒枠を画像に付加するワイプ処理を行う場合について説明したが、この実施の形態では図３（Ａ）、（Ｂ）に示すように、幅が順次に広くなる、画面の上辺と下辺の水平方向の黒線を画像に付加する垂直方向のみのワイプ処理を行う場合にも同様な処理を行うことができる。
【００２５】
すなわち、図１に示したワイプ回路又はミックス回路１３から図３（Ａ）に示す垂直方向のみのワイプ処理された６０Ｐ映像信号が出力される場合、図３（Ｂ）に示すように、２４Ｐ映像信号の同一フレームが２フレーム連続して出力される期間の２フレーム目の６０Ｐ映像信号の画像１−ｂに対しては、続いて２４Ｐ映像信号の同一フレームが３フレーム連続して出力される期間の最初の１フレーム目の６０Ｐ映像信号の画像２−ａに付加される黒線３２の幅の１／２倍の幅の黒線３１を画像の上端と下端に付加するワイプ処理を行う。
【００２６】
続いて、ワイプ回路又はミックス回路１８は、図３（Ｂ）に示すように、２４Ｐ映像信号の同一フレームが３フレーム連続して出力される期間の２フレーム目の６０Ｐ映像信号の画像２−ｂ、３フレーム目の６０Ｐ映像信号の画像２−ｃのうち、画像２−ｂに対しては直前の１フレームの画像２−ａに付加される黒線３２の幅の１／３倍の幅を元の黒線に加算した黒線３３を画像の上端と下端に付加し、画像２−ｃに対しては直後の１フレームの画像３−ａに付加される黒線３５の幅の１／３倍の幅を元の黒線に加算した黒線３４を画像の上端と下端にそれぞれ付加するワイプ処理を行う。
【００２７】
これにより、この実施の形態も、記録回路１４に対しては、図３（Ａ）に示した画像の推移をする従来と同様の６０Ｐ映像信号を出力すると共に、ビューファインダ１５には図３（Ｂ）に示すように、同図（Ａ）よりも黒線の幅が滑らかに変化して推移する６０Ｐ映像信号を出力することができ、ビデオカメラの使用者に対して、動きの滑らかなワイプ処理された画像を提供できる。
【００２８】
なお、上記の実施の形態では、ワイプ回路又はミックス回路１８の出力６０Ｐ映像信号をビューファインダ１５に出力するように説明したが、ビューファインダ１５は液晶表示素子（ＬＣＤ）による開閉自在なビューアでもよく、また、外部のモニタ表示装置でもよい。また、上記の実施の形態では、２４Ｐ映像信号に対して２−３プルダウン処理して得られた６０Ｐ映像信号について説明したが、フレーム周波数３０Ｈｚのプログレッシブ方式の３０Ｐ映像信号に対してフレーム周波数変換処理された６０Ｐ映像信号に対して本発明を適用することもできる。
【図面の簡単な説明】
【００２９】
【図１】本発明の一実施の形態のブロック図である。
【図２】図１のビデオカメラ中の記録回路とビューファインダに入力される各映像信号の画像の推移の一例を示す図である。
【図３】図１のビデオカメラ中の記録回路とビューファインダに入力される各映像信号の画像の推移の他の例を示す図である。
【図４】従来のビデオカメラの一例のブロック図である。
【図５】図５のビデオカメラから出力される映像信号の画像の推移の一例を示す図である。
【符号の説明】
【００３０】
１１  撮像素子
１２  ２−３プルダウン回路
１３、１８  ワイプ回路又はミックス回路
１４  記録回路
１５  ビューファインダ
２１〜２５  黒枠
３１〜３５  黒線
【図１】
2006310905.tif 000003
【図２】
2006310905.tif 000004
【図３】
2006310905.tif 000005
【図４】
2006310905.tif 000006
【図５】
2006310905.tif 000007